(57)【要約】【課題】  例えば狭小なパイプシャフト内に配管された場合であっても、掃除口を経て洗浄ノズル付きホースを管内へ楽に進入させることができる排水集合管継手を提供する。【解決手段】  本発明に係る排水管継手は、胴部２１の上端に上階の排水立て管が接続される上部受け口２２が形成されており、その胴部２１の側面に排水横枝管が接続される横枝管受け口２４，２５が周方向に複数個形成されており、胴部２１の下端部が下階の排水立て管に接続される構成の排水集合管継手であって、胴部２１には、横枝管受け口２４，２５の内周底部とほぼ同じ高さ位置、あるいは前記内周底部より高い位置に、掃除口３０が周方向に複数個形成されていることを特徴とする。【選択図】        図１
2007070940.tif 000002
【特許請求の範囲】
【請求項１】
胴部の上端に上階の排水立て管が接続される上部受け口が形成されており、その胴部の側面に排水横枝管が接続される複数の横枝管受け口がほぼ同じ高さで周方向に形成されており、前記胴部の下端部が下階の排水立て管に接続される構成の排水集合管継手であって、
前記胴部の側面には、複数の掃除口がほぼ同じ高さで周方向に形成されており、
それらの掃除口の内周底部が前記横枝管受け口の内周底部とほぼ同じ高さ、あるいは前記掃除口の内周底部が前記横枝管受け口の内周底部よりも高くなるように、前記掃除口の高さ位置が設定されていることを特徴とする排水集合管継手。
【請求項２】
請求項１に記載の排水集合管継手であって、
掃除口には、洗浄ノズル付きホースを排水集合管継手の内部に導くための掃除管の一端が水密の状態で接続されており、前記掃除管の他端が前記排水集合管継手の配管スペースの外部に配置されていることを特徴とする排水集合管継手。
【請求項３】
請求項１又は請求項２のいずれかに記載の排水集合管継手であって、
一の掃除口の中心軸線と、その隣りの掃除口の中心軸線との成す角が、ほぼ45°に設定されていることを特徴とする排水集合管継手。
【請求項４】
請求項１又は請求項２のいずれかに記載の排水集合管継手であって、
一の掃除口の中心軸線と、その隣りの掃除口の中心軸線との成す角が、ほぼ90°に設定されていることを特徴とする排水集合管継手。
【請求項５】
請求項１又は請求項２のいずれかに記載の排水集合管継手であって、
一の掃除口の中心軸線と、その隣りの掃除口の中心軸線との成す角が、ほぼ180°に設定されていることを特徴とする排水集合管継手。
【発明の詳細な説明】
【技術分野】
【０００１】
この発明は、例えばマンション等の集合住宅やオフィスビル等の高層建築物における排水経路において、建物を上下に貫いて配管される排水立て主管に各階の排水横枝管を接続するための排水集合管継手に関する。
【背景技術】
【０００２】
近年、特に高層の集合住宅等においてディスポーザ排水が増加しており、このディスポーザ排水を行う場合には、台所排水用の排水経路を、例えば浴室排水等のその他の雑排水とは別の排水経路を経て排水立て管に流下させることが一般的に行われている。
このディスポーザ排水では、粉砕された生ゴミと台所排水が一緒に流されるのであるが、実際に排水立て管内を流下する段階では、生ゴミと排水とが分離して生ゴミが先に落下し、排水があとから流下することが知られている。このため、立て管内壁に一旦生ゴミが付着するのであるが、その直後に流下する排水によりこれらが洗い流される。
このように、従来のディスポーザ排水用の排水経路においても、一定の自浄作用があったが、長年の使用によりこれには限界があり、より確実に管内を清浄な状態に維持するためには、例えば人が管内の掃除を定期的に行う必要がある。
従来、例えば上記ディスポーザ排水を行う排水経路において、排水管継手の内部またはこれに接続された横枝管の管内の掃除をするために、例えば特開２００２−１２９６１５号公報あるいは特開２００５−２９９５２号公報に開示されているように排水管継手に掃除口を予め設けておき、この掃除口に洗浄ノズル付きのホースを進入させて管内の洗浄を行う技術が提供されている。
【０００３】
【特許文献１】特開２００２−１２９６１５号公報
【特許文献２】特開２００５−２９９５２号公報
【発明の開示】
【発明が解決しようとする課題】
【０００４】
しかしながら、一般的に排水集合管継手は、建物の壁面に沿って設定された狭小な配管スペース（パイプシャフト）内に設置されている。このため、予め設けた掃除口の位置あるいは向きによっては、この掃除口に洗浄ノズル付きホースを進入させる作業が困難となる場合があった。
【０００５】
本発明は上記問題点を解決するためになされたものであり、本発明が解決しようとする課題は、例えば狭小なパイプシャフト内に配管された場合であっても、掃除口を経て洗浄ノズル付きホース等を管内へ楽に進入させることができる排水集合管継手を提供することである。
【課題を解決するための手段】
【０００６】
上記した課題は、各請求項の発明によって解決される。
請求項１の発明は、胴部の上端に上階の排水立て管が接続される上部受け口が形成されており、その胴部の側面に排水横枝管が接続される複数の横枝管受け口がほぼ同じ高さで周方向に形成されており、前記胴部の下端部が下階の排水立て管に接続される構成の排水集合管継手であって、前記胴部の側面には、複数の掃除口がほぼ同じ高さで周方向に形成されており、それらの掃除口の内周底部が前記横枝管受け口の内周底部とほぼ同じ高さ、あるいは前記掃除口の内周底部が前記横枝管受け口の内周底部よりも高くなるように、前記掃除口の高さ位置が設定されていることを特徴とする。
【０００７】
本発明によると、排水集合管継手の胴部の側面には複数の掃除口がほぼ同じ高さで周方向に形成されているため、その排水集合管継手が狭小なパイプシャフトに配管された場合であっても、洗浄作業に都合の良い掃除口を選択することができる。このため、掃除口を経て洗浄ノズル付きホース等を排水立て管及び横枝管内へ楽に進入させることができるようになる。
また、掃除口の内周底部が横枝管受け口の内周底部とほぼ同じ高さ、あるいは前記掃除口の内周底部が横枝管受け口の内周底部よりも高くなるように、それらの掃除口の高さ位置が設定されている。このため、例えば、配管洗浄中に横枝管受け口から排水集合管継手の胴部に流入した排水が掃除口側に逆流することがない。
【０００８】
請求項２の発明によると、掃除口には、洗浄ノズル付きホースを排水集合管継手の内部に導くための掃除管の一端が水密の状態で接続されており、前記掃除管の他端が前記排水集合管継手の配管スペースの外部に配置されていることを特徴とする。
このため、排水集合管継手が狭小なパイプシャフトに配管された場合であっても、前記パイプシャフトの外から洗浄ノズル付きホースを排水集合管継手の内部に挿入することが可能になる。
【０００９】
請求項３の発明によると、一の掃除口の中心軸線と、その隣りの掃除口の中心軸線との成す角が、ほぼ45°に設定されていることを特徴とする。
請求項４の発明によると、一の掃除口の中心軸線と、その隣りの掃除口の中心軸線との成す角が、ほぼ90°に設定されていることを特徴とする。
請求項５の発明によると、一の掃除口の中心軸線と、その隣りの掃除口の中心軸線との成す角が、ほぼ180°に設定されていることを特徴とする。
【発明の効果】
【００１０】
本発明によると、洗浄作業に都合の良い掃除口を選択することができるため、掃除口を経て洗浄ノズル付きホース等を排水立て管及び横枝管内へ楽に進入させることができるようになる。
【発明を実施するための最良の形態】
【００１１】
［実施形態１］
以下、図１から図４に基づいて本発明の実施形態１に係る排水集合管継手の説明を行う。本実施形態に係る排水集合管継手は集合住宅の排水設備に使用される管継手であり、図１に前記排水集合管継手の全体模式側面図及び平面図が示されている。図２は排水集合管継手の縦断面図、図３、図４は排水集合管継手を使用した配管例を表している。
【００１２】
＜排水集合管継手１０について＞
本実施形態に係る排水集合管継手１０は、図３、図４に示すように、集合住宅の上階Ａと下階Ｂとを仕切るコンクリートスラブＣＳの貫通孔Ｃｈに通される構成であり、上階Ａの排水立て管２、及び第１、第２排水横枝管３，４を下階Ｂの排水立て管２に接続する働きをする。
排水集合管継手１０は、図１、図２に示すように、筒状の胴部２１を備えており、その胴部２１の上端部に上流側（上階Ａ）の排水立て管２が接続される上部受け口２２が形成されている。上部受け口２２の内側には、排水立て管２の下端部と上部受け口２２間を水密な状態でシールする略筒状のシール材（図示省略）が嵌め込まれている。また、胴部２１の上部側面にはその胴部２１の軸心に対してほぼ直角に第１排水横枝管３の端部が挿入接続される第１横枝管受け口２４と、第２排水横枝管４の端部が挿入接続される第２横枝管受け口２５とが形成されている。なお、第１、第２横枝管受け口２４，２５の内側にも前記シール材が嵌め込まれている。
【００１３】
さらに、胴部２１の上部側面には、図１に示すように、複数の掃除口３０がほぼ同じ高さで周方向に形成されている。掃除口３０には、図２に示すように、内周壁に雌ネジ３２が形成されており、その雌ネジ３２に対して掃除口蓋３４（図３参照）の円筒部の雄ネジ（図示省略）が螺合されることにより、その掃除口３０が塞がれるように構成されている。前記掃除口３０は、それらの掃除口３０の内周底部ＳＢが第１、第２横枝管受け口２４，２５の内周底部ＥＢとほぼ同じ高さとなるように、あるいは前記掃除口３０の内周底部ＳＢが第１、第２横枝管受け口２４，２５の内周底部ＥＢよりも高くなるように、その高さ位置が設定されている。
例えば、図２は、掃除口３０の内周底部ＳＢと第１、第２横枝管受け口２４，２５の内周底部ＥＢとをほぼ同じ高さ位置に設定した例を表している。図１（Ａ）は、掃除口３０の中心軸線と第１、第２横枝管受け口２４，２５の中心軸線とをほぼ同じ高さ位置に設定した例を表している。また、図１（Ｂ）は、掃除口３０を第１、第２横枝管受け口２４，２５の上方に形成した例を表している。
【００１４】
また、掃除口３０の周方向の位置が、図１（Ｃ）、（Ｄ）の平面図に例示されている。
図１（Ｃ）に示すように、第１横枝管受け口２４と第２横枝管受け口２５とが直角に設けられた排水集合管継手１０の場合、第１の掃除口３０を第１横枝管受け口２４と対向する胴部２１の壁部に形成し、第２の掃除口３０を第２横枝管受け口２５と対向する胴部２１の壁部に形成するのが製作上好ましい。この場合、第１の掃除口３０と第２の掃除口３０との中心軸線（隣り合う掃除口３０の中心軸線）の成す角は約90°に設定される。なお、第１の掃除口３０と第２の掃除口３０との周方向中間位置に第３の掃除口３０（点線参照）を設けることも可能である。この場合、隣り合う掃除口３０の中心軸線の成す角は約45°に設定される。
図１（Ｄ）の平面図に示すように、第１横枝管受け口２４と第２横枝管受け口２５とが同一線上に設けられた排水集合管継手１０の場合、両横枝管受け口２４，２５の位置から周方向に約90°回転させた位置に第１の掃除口３０と第２の掃除口３０とを形成するのが製作上好ましい。この場合、第１，第２の掃除口３０における中心軸線の成す角はほぼ180°に設定される。
【００１５】
図２等に示すように、排水集合管継手１０の胴部２１の中央下部には、その胴部２１の径寸法を緩やかに絞るテーパ状の絞り部２１ｔが設けられている。そして、前記絞り部１４の内壁面に流下する排水を旋回させるための旋回ガイド２１ｒが形成されている。さらに、胴部２１の下端部、即ち、絞り部２１ｔの下側には、下階Ｂの排水立て管２の受け口２ｕに挿入接続される直管部２１ｓが形成されている。
【００１６】
＜排水集合管継手１０を使用した排水設備及びその洗浄について＞
図４に示すように、高層の集合住宅における排水設備では、排水集合管継手１０及び排水立て管２は配管スペースＣＦ（パイプシャフトＣＦ）内に設置されている。そして、図示するように、排水集合管継手１０の横枝管受け口２４にディスポーザ排水を導く排水横枝管３やその他の排水を導く排水横枝管４（図示省略）が接続される。
このような排水設備において配管洗浄を行なう場合、排水集合管継手１０の複数の掃除口３０から洗浄作業に適した位置の掃除口３０を選択する。そして、選択した掃除口３０の掃除口蓋３４を外し、その掃除口３０から洗浄ノズル付きホース５０等を管内に進入させて配管洗浄を行なう。
＜排水集合管継手１０の長所＞
このように、洗浄作業に都合の良い掃除口３０を選択することができるため、排水集合管継手１０が狭小なパイプシャフトＣＦに配管された場合であっても、洗浄ノズル付きホース５０を楽に管内へ進入させることができるようになる。
また、掃除口３０は、それらの掃除口３０の内周底部ＳＢが第１、第２横枝管受け口２４，２５の内周底部ＥＢとほぼ同じ高さとなるように、あるいは前記掃除口３０の内周底部ＳＢが第１、第２横枝管受け口２４，２５の内周底部ＥＢよりも高くなるように、その高さ位置が設定されている。このため、洗浄中に横枝管受け口２４，２５から排水集合管継手１０の胴部２１に流入した排水が掃除口３０側に逆流することがない。
【００１７】
＜変更例＞
本実施形態では、図４に示すように、排水集合管継手１０の掃除口３０から直接的に洗浄ノズル付きホース５０を管内に進入させて配管洗浄を行なう例を示したが、図３に示すように、所定の掃除口３０に予め掃除管６０を接続しておくことも可能である。
掃除管６０は、洗浄ノズル付きホース５０を排水集合管継手１０の掃除口３０まで導くガイド配管である。掃除管６０は、洗浄ノズル付きホース５０を通し易いように緩やかに湾曲可能に構成されたフレキシブル管であり、先端のコネクタ６１が排水集合管継手１０の掃除口３０の掃除口蓋３４に形成されたボス６２に接続されている。また、掃除管６０の基端部に設けられたコネクタ６４がパイプシャフトＣＦの壁部ＣＫに設けられた蓋付掃除口６６に接続されている。
これによって、排水集合管継手１０が狭小なパイプシャフトＣＦ内に設置された場合であっても、前記パイプシャフトＣＦの外から洗浄ノズル付きホース５０を排水集合管継手１０の内部に挿入することが可能になる。このため、作業性が向上する。
【図面の簡単な説明】
【００１８】
【図１】本発明の実施形態１に係る排水集合管継手の全体模式側面図（Ａ図，Ｂ図）、及び平面図（Ｃ図，Ｄ図）である。
【図２】排水集合管継手の縦断面図である。
【図３】排水集合管継手を使用した配管例である。
【図４】排水集合管継手を使用した配管例である。
【符号の説明】
【００１９】
２        排水立て管
３        第１排水横枝管
４        第２排水横枝管
２１      胴部
２２      上部受け口
２４      第１横枝管受け口
２５      第２横枝管受け口
ＥＢ      内周底部
３０      掃除口
５０      洗浄ノズル付きホース
６０      掃除管
【図１】
2007070940.tif 000003
【図２】
2007070940.tif 000004
【図３】
2007070940.tif 000005
【図４】
2007070940.tif 000006